(57)【要約】【課題】針パッケージとして適した、特に編み機用の針のための保持装置を提供する。【解決手段】フラットな針支持体区分（４）と、該針支持体区分に対向位置して配置された緊締リップ（５）とを有する収容装置（３）が設けられており、前記緊締リップ（５）が、針（２）の一方の端部（１４）を上方から緊締し且つ針（２）を針支持体区分（４）に対して緊締することにより保持するために設けられている。【選択図】図１
2008114925.tif 000002
【特許請求の範囲】
【請求項１】
編み針（２）用の針保持装置（１）であって、フラットな針支持体区分（４）と、該針支持体区分に対向位置して配置された緊締リップ（５）とを有する収容装置（３）が設けられており、前記緊締リップ（５）が、針（２）の一方の端部（１４）を上方から緊締し且つ針（２）を針支持体区分（４）に対して緊締することにより保持するために設けられていることを特徴とする、針保持装置。
【請求項２】
緊締リップ（５）と針支持体区分（４）との間に形成された内室（９）への針（２）の挿入を容易にするための挿入開口（３０）を形成するために、緊締リップ（５）が、針支持体区分（４）から離反するように曲げられた縁部（７）を有している、請求項１記載の針保持装置。
【請求項３】
収容装置（３）が、針保持クリップ（２２）と、該針保持クリップ（２２）に結合された支持体板（２３）とを有しており、緊締リップ（５）が、針保持クリップ（２２）の部分として形成されている、請求項１記載の針保持装置。
【請求項４】
支持体板（２３）が、針保持クリップ（２２）とは異なる材料から成っており且つ該針保持クリップと結合手段（２５）によって結合されている、請求項３記載の針保持装置。
【請求項５】
針保持クリップ（２２）が、緊締リップ（５）、脚部（２４）及びばね区分（６）によって形成されており、前記脚部（２４）が針支持体区分（４，２３）を保持する、請求項３記載の針保持装置。
【請求項６】
針保持クリップ（２２）がスリット（２６）を有しており、該スリットに支持体板（２３）が挿入されている、請求項３記載の針保持装置。
【請求項７】
スリット（２６）に、支持体板（４，２３）のための位置決め手段（３３，３４，３５，３６）が設けられている、請求項６記載の針保持装置。
【請求項８】
支持体板（４，２３）が処理剤供給用に装備されている、請求項３記載の針保持装置。
【請求項９】
針保持クリップ（２２）に操作装置（４１）が対応配置されている、請求項３記載の針保持装置。
【請求項１０】
緊締リップ（５）が針支持体区分（４）に対して予負荷されている、請求項１記載の針保持装置。
【発明の詳細な説明】
【技術分野】
【０００１】
本発明は、パッケージとして適した針収容装置であって、この針収容装置により、複数本の針を整列した形態で保護して使用に備えることができる形式のものに関する。
【背景技術】
【０００２】
様々な形式の針収容装置及び針パッケージが公知である。例えばドイツ連邦共和国特許第２５８０１９号明細書には、針交換を簡易化するための編み機用補助装置が開示されている。この補助装置には、１つのクランプで以て一緒に緊締される２本のレールが所属している。これらのレール間で針は、その後方又は前方のフック側の端部を把持される。この場合、針はレール間で緊締される。
【０００３】
更に、ドイツ連邦共和国特許第２６０９５３号明細書から２つの条片を備えた緊締装置が公知であり、針は前記条片間で互いに平行に且つ相互間隔をおいて緊締される。この緊締装置もやはり、針交換を簡易化するための補助装置として役立つ。
【０００４】
米国特許第２７７１１８７号明細書に記載のカバートを用いた縫い針用の封筒には、針用の収容ポケットが形成されている。針が収容ポケットに挿入されてから、カバートが閉じられる。
【特許文献１】ドイツ連邦共和国特許第２５８０１９号明細書
【特許文献２】ドイツ連邦共和国特許第２６０９５３号明細書
【特許文献３】米国特許第２７７１１８７号明細書
【発明の開示】
【発明が解決しようとする課題】
【０００５】
本発明の課題は、針パッケージとして適した、特に編み機用の針のための保持装置を提供することである。
【課題を解決するための手段】
【０００６】
この課題を解決するために本発明では、フラットな針支持体区分と、該針支持体区分に対向位置して配置された緊締リップとを有する収容装置が設けられており、前記緊締リップが、針の一方の端部を上方から緊締し且つ針を針支持体区分に対して緊締することにより保持するために設けられている。
【発明の効果】
【０００７】
本発明による保持装置は、フラットな針支持体区分と、この針支持体区分に対向位置して配置された緊締リップとを有している。この緊締リップは針支持体区分の方向に曲げられており且つ針支持体区分に対して予負荷されていてよい。緊締リップは、該緊締リップの間に配置された針の一方の端部を覆って緊締し且つ針を針支持体区分に対して緊締することにより保持するために設けられている。当該保持装置では、必要に応じて多数の針を相並べて配置することができ、この場合、緊締リップは針を針支持体区分に対して緊締して保持する。この場合、緊締リップ及び針支持体区分は、有利には直接に針と接触している。
【０００８】
本発明による保持装置のコンセプトの利点は、弾性紐、Ｏリング、線材、輪ゴム等を用いた針束の場合とは異なり、事実上任意の大きさの針群が針収容装置に収納可能であるという点にある。数本の針を取り出した後、針収容装置により保持された残りの針は集合体として整然と保持され続ける。
【０００９】
線材又はナイロン紐に設けられた針、或いはその他の細長い編み工具のパッケージの場合とは異なり、本発明による針収容装置によって収容しようとする編み工具又は針は、別個に図示される開口を有していなくてよい。
【００１０】
本発明による針収容装置では、緊締リップが針支持体区分の方向に曲げられている。この場合、緊締リップの下面と針支持体区分の上面との間の間隔は、収容しようとする編み工具の高さよりも小である。これにより、収容された編み工具は、収容された針が自動的に所定の位置で保持されるような力で、針支持体区分に対して予負荷される。緊締リップも有利には、針の長手方向に対して直交する仮想方向に関してある程度の弾性を有しているので、当該緊締リップは隣接する全ての針を、場合によっては生じる比較的小さな製作誤差にもかかわらず、針支持体区分に対して均等に押圧する。
【００１１】
針は互いに結合されること無く、保持装置内で保持され得る。この場合、緊締リップだけが針をブロックとして保持する。但し、針を付加的に互いに位置固定することも可能である。例えば、針は互いに固定ラッカによって、又は例えばゴム紐等の機械的手段によって結合されていてよい。このために適した開口を各針が有しており且つこれらの針の開口が互いに整合している場合は、これらの開口にまっすぐなゴム紐が通される。このゴム紐が解放されると、当該のゴム紐は長手方向で収縮すると同時に、半径方向で拡張する。この場合、ゴム紐は、このゴム紐についている針を緊締する。この場合、これらの針はまとめて保持された１つのブロックを形成する。このようなブロックは、本発明による保持装置によって確実に収容及び保管され得る。
【００１２】
保持装置には緊締リップの他に、針を保持又は固定するための別の手段が設けられていてよい。例えば針支持体区分は、保持された針の側方落下を防止する、例えば折り曲げられた縁部の形の構造体を有していてよい。針は、付加的に弾性的なバンド又は適当な帯封によって保持され得る。
【００１３】
緊締リップは、保持装置により支承された針を上方から緊締する。有利には、緊締リップの自由端部は、所定の押圧点又は針との接触点において上向きに曲げられており、これにより、収容しようとする針の問題のない挿入が可能である。この場合、緊締リップは針長手方向で見て、有利には少なくとも当該緊締リップが挿入された針の編み目形成範囲を上方から完全に緊締し、これにより、編み目形成範囲が保持装置に形成された収容室に収容される長さを有している。針がその裏面で以て、フラットな針支持体区分に比較的大きな長さ又は全長にわたって接触しているのに対して、緊締リップは各針の所定の１箇所を押圧するに過ぎない。
【００１４】
有利な構成では、収容装置は針保持クリップ及びこの針保持クリップに結合された支持体板の形の、少なくとも２つの部分から成っている。この場合、緊締リップは針保持クリップ部分として形成されている。針保持クリップは、例えばプラスチックから形成されていてよいのに対して、支持体板は、有利には例えばボール紙等の別の材料から形成されているか、又はやはりプラスチック或いは別のプラスチックから形成されている。更に、針保持クリップと支持体板とは、同一の又は異なる金属から形成されていてよい。有利には、針保持クリップと支持体板とは互いにリベット留め、かしめ締結、プレス、接着、接合又はその他の手段によって、永続的に又は解離可能に結合されている。
【００１５】
支持体板自体が吸収性に形成されているか、又は例えばフェルトライニング或いは別の繊維ライニング等の吸収性のライニングを備えていると、当該の支持体板は、保存剤又は処理剤用の蓄え手段を形成することができる。このことは針収容装置において、例えば防食剤（例えば適当なオイル等）等の材料を蓄える可能性を開く。この場合、防食剤は針を保護するために、次第に針に供給される。このことは、針を最良品質で世界中に送付することを可能にし且つ不都合な環境条件下での長期保管をも可能にする。
【００１６】
有利には、支持体板を針保持クリップと結合するためには、この針保持クリップの一方の脚部にスリットが設けられており、このスリットに支持体板が挿入されている。当該スリットは、同じ長さの又は異なる長さの２つの壁によって制限されていてよい。有利には、編み工具又は針に面した壁の前縁に傾斜面が形成されており、この傾斜面は針の挿入を容易にする。針から離れた方の下側の壁が上側の壁よりも長く形成されていると、一方では針が大きな長さにわたって支持体板と接触し且つ他方では支持体板が下側の壁によって補強される。
【００１７】
スリットへの支持体板の挿入を簡単にするためには、スリットを制限する両壁のうちの一方のスリット開口部が傾斜されているか、丸みをつけられているか、又はテーパされていてよい。
【００１８】
スリットに、支持体板のための位置決め手段を設けることも有利であると見なされる。例えば、スリットに複数のリブが設けられていてよく、これらのリブの間で、挿入された支持体板の縁部が保持される。更に、スリットを制限する壁の端部にそれぞれ突出部又はリブが形成されていてよく、これらの突出部又はリブは、相互間に支持体板を保持又は緊締する。このことは、支持体板の互いに隔てられて規定された２つのストリップ状又は線状の領域が緊締されて、保持又は支承されるという利点を有している。このことは、支持体板及び針保持クリップ相互の精密な位置調整に役立つ。必要な場合には、スリットは支持体板を針保持クリップに材料接続的に結合する接着剤の形の結合手段を有することができる。
【００１９】
支持体板は、スリット内で材料接続的に保持されているばかりではない。支持体板を針保持クリップと形状接続的に結合することも可能である。このことは例えば、多少なりともシャープな縁部を有するように形成されたリブによって可能であり、これらのリブは支持体板の片面又は両面に押し込まれ且つ針保持クリップに結合されている。
【００２０】
特に快適に操作されるべきであり且つ特に壊れやすい編み工具又は針の保管に適した針収容装置では、針保持クリップに操作装置が対応配置されている。この操作装置は、有利には操作時に緊締リップを支持体板から離反運動させ、これにより、針を問題なく緊締リップと支持体板との間で摺動させるために設けられている。挿入時又は取出し時に、針が緊締リップを開くために必要な力をもたらす必要はない。操作装置としては、例えば緊締リップを支持体板に結合する弾性領域を越えて、互いにほぼ並行に又は鋭角を成して突出した複数の付加部が適している。
【発明を実施するための最良の形態】
【００２１】
以下に、本発明を実施するための最良の形態を図面につき詳しく説明する。
【００２２】
図１には、複数の針２を備えた針保持装置１が示されており、針２は針保持装置１に収容されている。この針保持装置１は、例えば針出荷用及び針保管用の針パッケージとして使用される。針保持装置１は、単に針パッケージの一部だけを形成していてもよい。針保持装置１は収容装置３を有しており、この収容装置３には、フラットな針支持体区分４と、この針支持体区分４に対向位置して配置された緊締リップ５とが所属している。有利には上から見て方形のフラットな、扁平な針支持体区分４と緊締リップ５とは重なり合って、例えばアーチ形のばね区分６によって結合されていてよい。このばね区分６は、緊締リップ５を針支持体区分４に対して予負荷すると同時に、緊締リップ５を旋回可能に保持する。ばね区分６はばねヒンジを形成している。緊締リップ５及び針支持体区分４は、ばね区分６を介して互いに一体に結合されていてよい。最も簡単なケースでは、針支持体区分４、緊締リップ５及びばね区分６は、例えばプラスチック等の比較的剛性ではあるが、ややフレキシブルな適当な材料から成っている。
【００２３】
針支持体区分４が概ね平らなのに対して、緊締リップ５は有利には針支持体区分４から離反するように曲げられた縁部７を有している。これにより、緊締リップ５はばね区分６から出発して、まず最初に鋭角で、当該緊締リップ５が針２に接触する針支持体区分４の接触箇所８に接近し、次いで導入開口の形成下で、針支持体区分４に対してやはり鋭角で前記接触箇所８及び針支持体区分４から離反する。このようにして、緊締リップ５は内部に針２の編み目形成区分１０が突入する内室９を取り囲んでいる。前記編み目形成区分１０は、針のフック、針胸部及び針ステムの一部を含む。内室９は適当な長さＬを有しており、この長さＬは緊締リップ５の長さ、即ち接触箇所８のばね区分６からの距離によって規定されている。緊締リップ５は針２のステム１１よりも短いので、段部に続く別の針体部分１２及びこの針体部分のバット１３は内室の外側に位置しており且つ針支持体区分４上に位置している。
【００２４】
図１に示したように、針２は緊締リップ５の緊締作用により、針支持体区分４に対して強固に押圧されているので、ブロックとして保持されている。各針２の編み目形成部分１０によって形成される端部１４が内室９内に保持されているのに対して、全ての針２のその他の部分１２は前記内室９の外側に留まっている。つまり、針２の保持は、編み目形成部分とステムに続く段部との間の針ステムにおける緊締リップ５の緊締作用によってのみ行われる。針２の位置固定を支援するために、針支持体区分４は、針下面（針裏面）と当該の針支持体区分４との間の摩擦係数ができるだけ高くなるような性質を有していてよい。このことは、針支持体区分４の適当な材料選択によって、例えば粗いボール紙の形で、又は適当なコーティングによって達成され得る。摩擦の増大は、小さな隆起部、ウェブ若しくは突起の形の構造化によっても達成され得る。これにより、支持体板４上の針２は側方にほとんどずれない。
【００２５】
図２に示したように、針２を位置固定するための付加的な手段１５が針支持体区分４に設けられていてよい。このような手段１５は、例えば１つ又は複数の帯封１６の形で形成されていてよく、これらの帯封１６は、針２に直交して上方から係合し且つ付加的に保持する。このような帯封１６は、原物封緘としても使用することができる。帯封１６は、図示のように針２の自由端部に、又はバット１３の間に配置されていてよい。この場合は、針２を取り出す前に帯封１６を除去することが必要である。更に、帯封１６が紙又はプラスチックから成っている場合は、帯封を裂断又は切断する必要がある。択一的に、原物封緘が省かれる場合は、再閉鎖可能な帯封１６を設けることが可能である。その他の点では、図２に示した実施例は、図１についての説明に対応して使用された符号に基づいている。
【００２６】
別の変化実施例が図３に示されている。図１又は択一的に図２についての前記説明は、図３についても相応に該当する。付加的に、針支持体区分４に１つ又は複数の突出部が、例えば針２に対して平行に方位付けられて折り曲げられた縁部１７の形で形成されている。針支持体区分４の対向位置する長手方向縁部にも、やはり折り曲げられた縁部が設けられていてよい（図３には図示せず）。縁部１７は、帯封、ゴムバンド又は例えばプラスチックバッグ、プラスチックシュリンクチューブ等の形の別のパッケージにより包囲して緊締することができる。
【００２７】
針保持装置１の更に別の実施例が図４に示されている。図１に示した実施例、又は図３或いは図２に示した実施例から出発して、針２は針支持体区分４と針２とを取り囲んで緊締するゴムバンド１８によりまとめて保持される。
【００２８】
ここまで説明した針保持装置１の実施例の別の詳細図が、図５及び図６に示されている。図示のように、緊締リップ５はほぼ扁平に形成されているか、又は針２に対して直交して延びる曲げ線４４に沿って折り曲げられて形成されていてよい。両ケースにおいて、縁部７は、内室９に針が挿入されていない場合に針支持体区分４に対する間隔ｈ１が、針裏面で以て針支持体区分４に接触している針２のフック２０のフック上面の高さｈ２よりも大であるエッジ１９で終わっている。この場合、ばね区分６の予負荷は、緊締リップ５が針支持体区分４における接触箇所８と接触するか、又は針支持体区分４と相俟って狭いギャップを規定するように設定可能である。このギャップはいずれにしろ、支承しようとする針２のステム１１の高さよりも狭い。更に、ばね区分６の可能なばね行程は前記高さｈ２よりも大である。
【００２９】
針保持装置１の機能形式
図６に示したように、針保持装置１に挿入するためには、針２は縁部７の下側に押しずらされる。この場合、針２は内室９へ滑り込む。この場合、接触箇所８は各針２のフック２０及び編み目形成区分１０にわたって移動する。最終的に、針のフック２０及び場合によっては存在するべら２１（図６）は内室９に到達する。この内室９では、フック２０及びべら２１は別の部材と接触しない。接触箇所８は、フック２０及びべら２１に対して安全距離を保持している。従って、緊締リップは各針２の編み目形成区分１０の上方から係合する。
【００３０】
以下に、本発明の更なる詳細と構成手段とを説明する。これらの構成手段は、上で説明した全ての実施例に適用可能である。図７では、針支持体区分４並びに緊締リップ５及びばね区分６は、同一の又は異なる材料から成り且つ互いに結合された別個の構成部材として形成されていてよい。例えば収容装置３は、針保持クリップ２２と針支持体板２３とによって形成されていてよい。この支持体板２３は例えばボール紙であるのに対して、針保持クリップ２２は例えばプラスチックから成っている。針保持クリップ２２は３つの部分から成る構成部材である。緊締リップ５がばね区分６を介して、支持体板２３を支持する脚部２４と結合されている。支持体板２３は脚部２４と、結合手段２５を介して結合されている。このためには、例えば支持体板２３が大面積で脚部２４と接着された接着接合部が役立つ。脚部２４は、有利には緊締リップ５よりも長い。緊締リップ５は接触箇所８で以て、支持体板２３を脚部２４に対して押圧可能である。
【００３１】
前記結合手段２５は、図８から図１１に示したように、脚部２４に形成されたスリット２６を含んでいてよい。これに関する第１の実施例が図８に示されている。スリット２６は、支持体板２３に対して平行に方位付けられており且つ２つの壁２７，２８により制限されている。これらの壁２７，２８は、互いに平行に且つ支持体板２３に対して平行に配置されている。支持体板２３はスリット２６に挿入されて、針保持クリップ２２と結合されている。このためには結合手段として接着剤が役立ち、この接着剤は例えば壁２７を支持体板２３に結合する。この結合を支援するためには、スリット２６内に接着剤が付与されていてもよい。
【００３２】
更に、少なくとも有利な１実施例では、壁２８のスリット２６に隣接するエッジに傾斜面２９が設けられている。この傾斜面は、支持体板２３から壁２８の内室９に面した面に至るソフトな上り勾配の移行部を形成する。当該傾斜面２９は、内室９への針の挿入を容易にする。
【００３３】
図９に示したように、上側の壁２８を外側に位置する壁２７より長く構成することも可能である。傾斜面２９はやはり、上で説明した全ての実施例と同様に支持体板２３若しくは壁２８（図９及び図１１）と相俟って挿入開口３０を規定する縁部７の下位に針を挿入し易くする。針収容装置３は、やはり緊締リップ５と支持体板２３とにより形成される。
【００３４】
有利には、図７、図８又は図９に示した全ての実施例において、但し特に図９に示した実施例において、下側の壁２７のスリット内側には、スリット縁部に向かって延びる傾斜面３１が設けられていてよい。この傾斜面３１は、スリット２６への支持体板２３の挿入を容易にする。支持体板２３と脚部２４との間の結合部はやはり、例えば接着剤等の結合手段２５によって形成されていてよい。
【００３５】
図１０に示したように、脚部２４は緊締リップ５より短く形成されていてもよい。このことは、特に支持体板２３が比較的剛性である場合に云える。一方では内室９への針の挿入を容易にし且つ他方ではスリット２６への支持体板２３の挿入を容易にするためには、両壁２７，２８に、既に説明した傾斜面２９，３１が設けられていてよい。
【００３６】
図１１に示したように、両壁２７，２８が緊締リップ５より長く構成されており延いては接触箇所８を越えて突出していてもよい。傾斜面２９，３１もやはり設けられている。
【００３７】
支持体板２３と脚部２４との間を結合するための別の手段が図１２及び図１３に示されている。この場合、同じ長さで形成され且つ縁部に丸みをつけられた壁２７，２８が内室３２を包囲しており、この内室３２の、支持体板２３に対して垂直方向で測定されるべき幅は、支持体板２３の厚さよりも大である。壁２７，２８の自由端部には、リブ状の突出部３３，３４が形成されている。内室３２の底部にもやはりリブ状の隆起部３５，３６が形成されており、これらの隆起部３５，３６は互いの間で所定の間隔３７を規定している。この間隔３７は、ほぼ支持体板２３の厚さに相当するか、又は支持体板２３の厚さよりもやや小さい。
【００３８】
図１３に示したように、支持体板２３には突出部３３，３４に対応配置された適当な凹部が設けられていてよい。支持体板２３がやや可撓性の場合、前記凹部は突出部３３，３４により形成される力の作用下で加工成形可能でもある。これにより支持体板２３は位置決め手段によって、即ち一方では突出部３３，３４によって、且つ他方では隆起部３５，３６によって規定された２つの線状ゾーンで保持されている。支持体板２３はこのようにして極めて精密に保持可能であり、その他の点では支持体板２３を脚部２４に位置固定するために、内室３２は接着剤３８で満たされていてよい。
【００３９】
別の変化態様が図１４及び図１５に示されている。図１５に関連した図１４から判るように、図７に示した実施例から出発して、脚部２４の有利には接触箇所８に対向位置する箇所にはリブ３９が形成されていてよい。このリブ３９は、横断面三角形であり且つ脚部５を向いた縁部を有していてよい。この縁部は、例えばボール紙製の支持体板２３に押し込まれ、延いてはこの支持体板２３を長手方向で位置固定する。支持体板２３と脚部２４との間を更に結合するためには、やはり接着剤４０が付与されていてよい。
【００４０】
更に図１４から明らかなように、緊締リップ５をコントロールして開閉するためには、針保持クリップ２２に操作装置４１が設けられていてよい。この操作装置４１は、例えば付加部４２，４３によって形成される。これらの付加部４２，４３は、脚部２４若しくは緊締リップ５に続いており且つヒンジを形成するばね区分６を越えて延びている。付加部４２，４３は、針２に直交し且つ図１４では図平面に対して垂直方向で方位付けられた針保持クリップ２２の全幅にわたって延びていてよい。付加部４２と緊締リップ５との間の剛い結合及び付加部４３と脚部２４との間の剛い結合に基づき、両付加部４２，４３が例えば手で押し合わされた場合、脚部５は支持体板２３から離反運動させられる。このことは、接触箇所８でフック及びべらをこする必要無しで、針を内室９に挿入することを可能にする。更に、フックが緊締リップ５をその緊締位置から押し退ける必要無しで、針を内室９から取り出すことができる。
【００４１】
支持体板２３は、吸収性の材料から形成されているか、又はこのような吸収性の材料を全面的又は部分的に有していてよい。このことは、上で説明した全ての実施例に当てはまる。
【００４２】
特にパッケージとして適した針保持装置１は、フラットな針支持体区分４と、これに引き続き前記針支持体区分４に対してばね弾性的に緊張された緊締リップ５を有する区分とを有している。緊締リップ５は、相並んで接触して針支持体区分４上で保持された針２の編み目形成区分１０に上方から係合する。ばね弾性的な緊締リップ５は、１本の、複数本の又は全ての針２の挿入及び引出しを可能にする。
【図面の簡単な説明】
【００４３】
【図１】複数の針を備えた針収容装置の概略斜視図である。
【図２】針収容装置の１変化実施例の概略斜視図である。
【図３】針収容装置の別の変化実施例の概略斜視図である。
【図４】針収容装置の更に別の変化実施例の概略斜視図である。
【図５】針挿入時の図１に示した針収容装置を異なる大きさで示した図である。
【図６】針挿入時の図１に示した針収容装置を異なる大きさで示した図である。
【図７】針保持クリップ及び支持体板を備えた、２つの部分から成る針収容装置の種々様々な実施例を示した図である。
【図８】針保持クリップ及び支持体板を備えた、２つの部分から成る針収容装置の種々様々な実施例を示した図である。
【図９】針保持クリップ及び支持体板を備えた、２つの部分から成る針収容装置の種々様々な実施例を示した図である。
【図１０】針保持クリップ及び支持体板を備えた、２つの部分から成る針収容装置の種々様々な実施例を示した図である。
【図１１】針保持クリップ及び支持体板を備えた、２つの部分から成る針収容装置の種々様々な実施例を示した図である。
【図１２】支持体板用の特別に成形された収容室を備えた針保持クリップの１区分の部分的な側面図である。
【図１３】保持クリップと支持体板との結合箇所を部分的に示した側面図である。
【図１４】操作装置及び針保持クリップにおける支持体板の形状接続的な固定部を備えた針収容装置の１実施例を示した図である。
【図１５】図１４に示した支持体板及び保持クリップの部分拡大図である。
【符号の説明】
【００４４】
１  針保持装置、  ２  針、  ３  収容装置、  ４  針支持体区分、  ５  緊締リップ、  ６  ばね区分、  ７  縁部、  ８  接触箇所、  ９，３２  内室、  １０  編み目形成範囲、  １１  ステム、  １３  バット、  １４  端部、  １６  帯封、  １７  縁部、  １８  ゴムバンド、  １９  エッジ、  ２０  フック、  ２１  べら、  ２２  針保持クリップ、  ２３  支持体板、  ２４  脚部、  ２５  結合手段、  ２６  スリット、  ２７，２８  壁、  ２９，３１  傾斜面、  ３０  挿入開口、  ３３，３４  突出部、  ３５，３６  隆起部、  ３７  間隔、  ３８，４０  接着剤、  ３９  リブ、  ４１  操作装置、  ４２，４３  付加部、  ４４  曲げ線、  Ｌ  長さ
【図１】
2008114925.tif 000003
【図２】
2008114925.tif 000004
【図３】
2008114925.tif 000005
【図４】
2008114925.tif 000006
【図５】
2008114925.tif 000007
【図６】
2008114925.tif 000008
【図７】
2008114925.tif 000009
【図８】
2008114925.tif 000010
【図９】
2008114925.tif 000011
【図１０】
2008114925.tif 000012
【図１１】
2008114925.tif 000013
【図１２】
2008114925.tif 000014
【図１３】
2008114925.tif 000015
【図１４】
2008114925.tif 000016
【図１５】
2008114925.tif 000017